(57)【要約】【課題】本発明は、画像形成された用紙に対する折り処理の折り条件を簡単かつ適切に設定する用紙後処理装置、画像形成装置、画像形成システム、用紙後処理制御方法、用紙後処理制御プログラム及び記録媒体を提供する。【解決手段】画像形成システム１は、画像形成装置１０から排出された用紙に対して、折り条件設定マークシートＭＳ１、ＭＳ２等を読み込んで取得した折り条件に従って、後処理装置５０で、折り処理を実行するとともに、操作表示部１６の指示操作に応じて、折り条件の折り条件保存用不揮発性メモリへの保存や読み出し等の処理を行う。したがって、折り条件の数が多い折り方法であっても、折り条件を簡単かつ適切に指定して設定することができる。【選択図】          図１
2008127107.tif 000002
【特許請求の範囲】
【請求項１】
折り位置、折り方向及び折り順序等の折り条件に基づいて用紙に折り処理を施す用紙後処理装置であって、前記折り条件がマークシート方式で記載されている折り条件シートを読み取る読取手段と、該読取手段の読み取った折り条件シートの画像から折り条件を取得して前記折り処理の折り条件として設定する制御手段と、を備えていることを特徴とする用紙後処理装置。
【請求項２】
折り位置、折り方向及び折り順序等の折り条件に基づいて用紙に折り処理を施す用紙後処理装置であって、前記折り条件が文字情報として記載されている折り条件シートを読み取る読取手段と、該読取手段の読み取った折り条件シートの画像から文字情報を認識する文字認識手段と、該文字認識手段の認識結果から折り条件を取得して前記折り処理の折り条件として設定する制御手段と、を備えていることを特徴とする用紙後処理装置。
【請求項３】
折り位置、折り方向及び折り順序等の折り条件に基づいて用紙に折り処理を施す用紙後処理装置であって、前記折り条件が記載されている原稿の画像を読み取る原稿読取手段と、該原稿読取手段の読み取った該原稿のサイズを取得する原稿サイズ取得手段と、該原稿読取手段の読み取った原稿の画像から該折り条件を取得するとともに、該取得した折り条件に該原稿サイズ取得手段の取得した原稿サイズと前記折り処理を施す前記用紙のサイズとのサイズ差を補正して該折り処理の折り条件として設定する制御手段と、を備えていることを特徴とする用紙後処理装置。
【請求項４】
前記用紙後処理装置は、所定の通信回線に接続され、該通信回線を介して前記折り条件シートの画像または前記折り条件が記載されている原稿の画像を印刷データまたは画像データとして受信する受信手段を備え、前記制御手段は、該受信手段の受信した該印刷データまたは該画像データから前記折り条件を取得することを特徴とする請求項１から請求項３のいずれかに記載の用紙後処理装置。
【請求項５】
前記用紙後処理装置は、所定の記憶手段及び各種指示操作を行う操作手段を備え、前記制御手段は、該操作手段での指示操作に応じて、前記折り条件の前記記憶手段への保存、該記憶手段からの該折り条件の読み取り等の各種処理を行うことを特徴とする請求項１から請求項４のいずれかに記載の用紙後処理装置。
【請求項６】
画像データに基づいて用紙に画像を形成するとともに、折り位置、折り方向及び折り順序等の折り条件に基づいて用紙に折り処理を施す用紙後処理機構を備え、該画像形成した用紙に、該用紙後処理機構で前記折り条件に基づいて折り処理を施す画像形成装置であって、前記折り条件がマークシート方式で記載されている折り条件シートを読み取る読取手段と、該読取手段の読み取った折り条件シートの画像から折り条件を取得して前記折り処理の折り条件として設定する制御手段と、を備えていることを特徴とする画像形成装置。
【請求項７】
画像データに基づいて用紙に画像を形成するとともに、折り位置、折り方向及び折り順序等の折り条件に基づいて用紙に折り処理を施す用紙後処理機構を備え、該画像形成した用紙に、該用紙後処理機構で前記折り条件に基づいて折り処理を施す画像形成装置であって、前記折り条件が文字情報として記載されている折り条件シートを読み取る読取手段と、該読取手段の読み取った折り条件シートの画像から文字情報を認識する文字認識手段と、該文字認識手段の認識結果から折り条件を取得して前記折り処理の折り条件として設定する制御手段と、を備えていることを特徴とする画像形成装置。
【請求項８】
画像データに基づいて用紙に画像を形成するとともに、折り位置、折り方向及び折り順序等の折り条件に基づいて用紙に折り処理を施す用紙後処理機構を備え、該画像形成した用紙に、該用紙後処理機構で前記折り条件に基づいて折り処理を施す画像形成装置であって、前記折り条件が記載されている原稿の画像を読み取る原稿読取手段と、該原稿読取手段の読み取った該原稿のサイズを取得する原稿サイズ取得手段と、該原稿読取手段の読み取った原稿の画像から該折り条件を取得するとともに、該取得した折り条件に該原稿サイズ取得手段の取得した原稿サイズと前記折り処理を施す前記用紙のサイズとのサイズ差を補正して該折り処理の折り条件として設定する制御手段と、を備えていることを特徴とする画像形成装置。
【請求項９】
前記画像形成装置は、所定の通信回線に接続され、該通信回線を介して前記折り条件シートの画像または前記折り条件が記載されている原稿の画像を印刷データまたは画像データとして受信する受信手段を備え、前記制御手段は、該受信手段の受信した該印刷データまたは該画像データから前記折り条件を取得することを特徴とする請求項６から請求項８のいずれかに記載の画像形成装置。
【請求項１０】
前記画像形成装置は、所定の記憶手段及び各種指示操作を行う操作手段を備え、前記制御手段は、前記操作手段での指示操作に応じて、前記折り条件の該記憶手段への保存、該記憶手段からの該折り条件の読み取り等の各種処理を行うことを特徴とする請求項６から請求項９のいずれかに記載の画像形成装置。
【請求項１１】
画像データに基づいて用紙に画像を形成する画像形成装置と、折り位置、折り方向及び折り順序等の折り条件に基づいて用紙に折り処理を施す用紙後処理装置とが連結されて、該画像形成装置で画像形成された用紙を該用紙後処理装置に送り込み、該用紙後処理装置が、該送り込まれてきた用紙に前記折り条件に基づいて折り処理を施す画像形成システムであって、前記用紙後処理装置が、請求項１から請求項５のいずれかに記載の用紙後処理装置、または、前記画像形成装置が、請求項６から請求項１０のいずれかに記載の画像形成装置であることを特徴とする画像形成システム。
【請求項１２】
折り位置、折り方向及び折り順序等の折り条件に基づいて用紙に施す折り処理を制御する用紙後処理制御方法であって、前記折り条件がマークシート方式で記載されている折り条件シートを読み取る読取処理と、該読取処理で読み取った折り条件シートの画像から折り条件を取得して前記折り処理の折り条件として設定する制御処理と、を行うことを特徴とする用紙後処理制御方法。
【請求項１３】
折り位置、折り方向及び折り順序等の折り条件に基づいて用紙に施す折り処理を制御する用紙後処理制御方法であって、前記折り条件が文字情報として記載されている折り条件シートを読み取る読取処理と、該読取処理で読み取った折り条件シートの画像から文字情報を認識する文字認識処理と、該文字認識処理の認識結果から折り条件を取得して前記折り処理の折り条件として設定する制御処理と、を行うことを特徴とする用紙後処理制御方法。
【請求項１４】
折り位置、折り方向及び折り順序等の折り条件に基づいて用紙に施す折り処理を制御する用紙後処理制御方法であって、前記折り条件が記載されている原稿の画像を読み取る原稿読取処理と、該原稿読取処理で読み取った該原稿のサイズを取得する原稿サイズ取得処理と、該原稿読取処理で読み取った原稿の画像から該折り条件を取得するとともに、該取得した折り条件に該原稿サイズ取得処理で取得した原稿サイズと前記折り処理を施す前記用紙のサイズとのサイズ差を補正して該折り処理の折り条件として設定する制御処理と、を行うことを特徴とする用紙後処理制御方法。
【請求項１５】
前記用紙後処理制御方法は、所定の通信回線を介して前記折り条件シートの画像または前記折り条件が記載されている原稿の画像を印刷データまたは画像データとして受信する受信処理を有し、前記制御処理において、該受信処理で受信した該印刷データまたは該画像データから前記折り条件を取得することを特徴とする請求項１２から請求項１４のいずれかに記載の用紙後処理制御方法。
【請求項１６】
前記制御処理は、所定の操作手段での指示操作に応じて、前記折り条件の所定の記憶手段への保存、該記憶手段からの該折り条件の読み取り等の各種処理を行うことを特徴とする請求項１２から請求項１５のいずれかに記載の用紙後処理制御方法。
【請求項１７】
折り位置、折り方向及び折り順序等の折り条件に基づいて用紙に施す折り処理を制御する用紙後処理制御プログラムであって、前記折り条件がマークシート方式で記載されている折り条件シートを読み取る読取処理ステップと、該読取処理ステップで読み取った折り条件シートの画像から折り条件を取得して前記折り処理の折り条件として設定する制御処理ステップと、を有することを特徴とする用紙後処理制御プログラム。
【請求項１８】
折り位置、折り方向及び折り順序等の折り条件に基づいて用紙に施す折り処理を制御する用紙後処理制御プログラムであって、前記折り条件が文字情報として記載されている折り条件シートを読み取る読取処理ステップと、該読取処理ステップで読み取った折り条件シートの画像から文字情報を認識する文字認識処理ステップと、該文字認識処理ステップでの認識結果から折り条件を取得して前記折り処理の折り条件として設定する制御処理ステップと、を有することを特徴とする用紙後処理制御プログラム。
【請求項１９】
折り位置、折り方向及び折り順序等の折り条件に基づいて用紙に施す折り処理を制御する用紙後処理制御プログラムであって、前記折り条件が記載されている原稿の画像を読み取る原稿読取処理ステップと、該原稿読取処理ステップで読み取った該原稿のサイズを取得する原稿サイズ取得処理ステップと、該原稿読取処理ステップで読み取った原稿の画像から該折り条件を取得するとともに、該取得した折り条件に該原稿サイズ取得処理ステップで取得した原稿サイズと前記折り処理を施す前記用紙のサイズとのサイズ差を補正して該折り処理の折り条件として設定する制御処理ステップと、を有することを特徴とする用紙後処理制御プログラム。
【請求項２０】
前記用紙後処理制御プログラムは、所定の通信回線を介して前記折り条件シートの画像または前記折り条件が記載されている原稿の画像を印刷データまたは画像データとして受信する受信処理ステップを有し、前記制御処理ステップにおいて、該受信処理ステップで受信した該印刷データまたは該画像データから前記折り条件を取得することを特徴とする請求項１７から請求項１９のいずれかに記載の用紙後処理制御プログラム。
【請求項２１】
前記制御処理ステップは、所定の操作手段での指示操作に応じて、前記折り条件の所定の記憶手段への保存、該記憶手段からの該折り条件の読み取り等の各種処理を行うことを特徴とする請求項１７から請求項２０のいずれかに記載の用紙後処理制御プログラム。
【請求項２２】
折り位置、折り方向及び折り順序等の折り条件に基づいて用紙に施す折り処理を制御する用紙後処理制御プログラムを記録する記録媒体であって、前記用紙後処理制御プログラムとして、請求項１７から請求項２１のいずれかに記載の用紙後処理制御プログラムが記録されていることを特徴とする記録媒体。
【発明の詳細な説明】
【技術分野】
【０００１】
本発明は、用紙後処理装置、画像形成装置、画像形成システム、用紙後処理制御方法、用紙後処理制御プログラム及び記録媒体に関し、詳細には、画像形成された用紙に対して施す折り処理の折り条件を簡単かつ適切に設定する用紙後処理装置、画像形成装置、画像形成システム、用紙後処理制御方法、用紙後処理制御プログラム及び記録媒体に関する。
【背景技術】
【０００２】
複写機、プリンタ等の画像形成装置は、多機能化してきており、大量の画像を記憶する記憶装置を備えた画像形成装置が主流となってきているとともに、画像形成装置の多機能化に伴って、画像形成された用紙に対して綴じ処理や折り処理等の後処理を施す後処理装置も、その機能が多機能化してきている。
【０００３】
そして、この後処理としては、ステイプル処理、折り処理画等の種々の処理があるが、特に、折り処理としては、内中折り、外中折り、Ｚ折り、内三折り及び外三折り等の様々な折り処理を行う機能があり、また、折り位置、折り方向及び折り順序等の折り条件も高度化してきている。
【０００４】
従来、用紙に対する折り位置、折り方向及び折り順序が設定されると、該設定された折り位置、折り方向及び折り順序に従って折り手段を制御して用紙に折り処理を行う用紙処理装置が提案されている（特許文献２参照）。そして、この従来技術には、実際に折り処理を施す用紙と同じ画像が形成された用紙に対して、折り条件設定マークを利用して折り位置、折り方向及び折り順序を記載（マーキング）して原稿とし、この原稿を画像読取手段で読み取って、折り条件の設定を行うことが開示されている。
【０００５】
【特許文献１】特開２００５−１３８９６１号公報
【発明の開示】
【発明が解決しようとする課題】
【０００６】
しかしながら、上記特許文献記載の従来技術にあっては、任意の折り条件を自在に設定して、用紙に対して意図する折り処理を行うことはできるが、折り条件の取得・設定を安価にかつ簡単に行って利用性を向上させる上で改良の必要があった。
【０００７】
すなわち、特許文献記載の従来技術は、出力用紙と同じサイズの原稿に、折り条件設定マークを利用して折り位置、折り方向及び折り順序をマーキングし、このマーキングした原稿を画像読取手段で読み取って折り条件の設定を行っているため、出力用紙と同じサイズの原稿に折り位置、折り方向及び折り順序をいちいちマーキングする必要があり、面倒で利用性が悪いだけでなく、折り処理を行う出力用紙は、比較的大きいサイズの用紙であるため、折り条件をマーキングする原稿の取り回しが悪く、利用性が悪く、改良の必要があった。
【０００８】
そこで、本発明は、折り条件を簡単かつ適切に取得して設定し、利用性の良好な用紙後処理装置、画像形成装置、画像形成システム、用紙後処理制御方法、用紙後処理制御プログラム及び記録媒体を提供することを目的としている。
【課題を解決するための手段】
【０００９】
請求項１記載の発明の用紙後処理装置は、折り位置、折り方向及び折り順序等の折り条件に基づいて用紙に折り処理を施す用紙後処理装置であって、前記折り条件がマークシート方式で記載されている折り条件シートを読み取る読取手段と、該読取手段の読み取った折り条件シートの画像から折り条件を取得して前記折り処理の折り条件として設定する制御手段と、を備えていることにより、上記目的を達成している。
【００１０】
請求項２記載の発明の用紙後処理装置は、折り位置、折り方向及び折り順序等の折り条件に基づいて用紙に折り処理を施す用紙後処理装置であって、前記折り条件が文字情報として記載されている折り条件シートを読み取る読取手段と、該読取手段の読み取った折り条件シートの画像から文字情報を認識する文字認識手段と、該文字認識手段の認識結果から折り条件を取得して前記折り処理の折り条件として設定する制御手段と、を備えていることにより、上記目的を達成している。
【００１１】
請求項３記載の発明の用紙後処理装置は、折り位置、折り方向及び折り順序等の折り条件に基づいて用紙に折り処理を施す用紙後処理装置であって、前記折り条件が記載されている原稿の画像を読み取る原稿読取手段と、該原稿読取手段の読み取った該原稿のサイズを取得する原稿サイズ取得手段と、該原稿読取手段の読み取った原稿の画像から該折り条件を取得するとともに、該取得した折り条件に該原稿サイズ取得手段の取得した原稿サイズと前記折り処理を施す前記用紙のサイズとのサイズ差を補正して該折り処理の折り条件として設定する制御手段と、を備えていることにより、上記目的を達成している。
【００１２】
上記各場合において、例えば、請求項４に記載するように、前記用紙後処理装置は、所定の通信回線に接続され、該通信回線を介して前記折り条件シートの画像または前記折り条件が記載されている原稿の画像を印刷データまたは画像データとして受信する受信手段を備え、前記制御手段は、該受信手段の受信した該印刷データまたは該画像データから前記折り条件を取得するものであってもよい。
【００１３】
また、例えば、請求項５に記載するように、前記用紙後処理装置は、所定の記憶手段及び各種指示操作を行う操作手段を備え、前記制御手段は、該操作手段での指示操作に応じて、前記折り条件の前記記憶手段への保存、該記憶手段からの該折り条件の読み取り等の各種処理を行うものであってもよい。
【００１４】
請求項６記載の発明の画像形成装置は、画像データに基づいて用紙に画像を形成するとともに、折り位置、折り方向及び折り順序等の折り条件に基づいて用紙に折り処理を施す用紙後処理機構を備え、該画像形成した用紙に、該用紙後処理機構で前記折り条件に基づいて折り処理を施す画像形成装置であって、前記折り条件がマークシート方式で記載されている折り条件シートを読み取る読取手段と、該読取手段の読み取った折り条件シートの画像から折り条件を取得して前記折り処理の折り条件として設定する制御手段と、を備えていることにより、上記目的を達成している。
【００１５】
請求項７記載の発明の画像形成装置は、画像データに基づいて用紙に画像を形成するとともに、折り位置、折り方向及び折り順序等の折り条件に基づいて用紙に折り処理を施す用紙後処理機構を備え、該画像形成した用紙に、該用紙後処理機構で前記折り条件に基づいて折り処理を施す画像形成装置であって、前記折り条件が文字情報として記載されている折り条件シートを読み取る読取手段と、該読取手段の読み取った折り条件シートの画像から文字情報を認識する文字認識手段と、該文字認識手段の認識結果から折り条件を取得して前記折り処理の折り条件として設定する制御手段と、を備えていることにより、上記目的を達成している。
【００１６】
請求項８記載の発明の画像形成装置は、画像データに基づいて用紙に画像を形成するとともに、折り位置、折り方向及び折り順序等の折り条件に基づいて用紙に折り処理を施す用紙後処理機構を備え、該画像形成した用紙に、該用紙後処理機構で前記折り条件に基づいて折り処理を施す画像形成装置であって、前記折り条件が記載されている原稿の画像を読み取る原稿読取手段と、該原稿読取手段の読み取った該原稿のサイズを取得する原稿サイズ取得手段と、該原稿読取手段の読み取った原稿の画像から該折り条件を取得するとともに、該取得した折り条件に該原稿サイズ取得手段の取得した原稿サイズと前記折り処理を施す前記用紙のサイズとのサイズ差を補正して該折り処理の折り条件として設定する制御手段と、を備えていることにより、上記目的を達成している。
【００１７】
請求項６から請求項８の場合、例えば、請求項９に記載するように、前記画像形成装置は、所定の通信回線に接続され、該通信回線を介して前記折り条件シートの画像または前記折り条件が記載されている原稿の画像を印刷データまたは画像データとして受信する受信手段を備え、前記制御手段は、該受信手段の受信した該印刷データまたは該画像データから前記折り条件を取得するものであってもよい。
【００１８】
また、例えば、請求項１０に記載するように、前記画像形成装置は、所定の記憶手段及び各種指示操作を行う操作手段を備え、前記制御手段は、前記操作手段での指示操作に応じて、前記折り条件の該記憶手段への保存、該記憶手段からの該折り条件の読み取り等の各種処理を行うものであってもよい。
【００１９】
請求項１１記載の発明の画像形成システムは、画像データに基づいて用紙に画像を形成する画像形成装置と、折り位置、折り方向及び折り順序等の折り条件に基づいて用紙に折り処理を施す用紙後処理装置とが連結されて、該画像形成装置で画像形成された用紙を該用紙後処理装置に送り込み、該用紙後処理装置が、該送り込まれてきた用紙に前記折り条件に基づいて折り処理を施す画像形成システムであって、前記用紙後処理装置が、請求項１から請求項５のいずれかに記載の用紙後処理装置、または、前記画像形成装置が、請求項６から請求項１０のいずれかに記載の画像形成装置であることにより、上記目的を達成している。
【００２０】
請求項１２記載の発明の用紙後処理制御方法は、折り位置、折り方向及び折り順序等の折り条件に基づいて用紙に施す折り処理を制御する用紙後処理制御方法であって、前記折り条件がマークシート方式で記載されている折り条件シートを読み取る読取処理と、該読取処理で読み取った折り条件シートの画像から折り条件を取得して前記折り処理の折り条件として設定する制御処理と、を行うことにより、上記目的を達成している。
【００２１】
請求項１３記載の発明の用紙後処理制御方法は、折り位置、折り方向及び折り順序等の折り条件に基づいて用紙に施す折り処理を制御する用紙後処理制御方法であって、前記折り条件が文字情報として記載されている折り条件シートを読み取る読取処理と、該読取処理で読み取った折り条件シートの画像から文字情報を認識する文字認識処理と、該文字認識処理の認識結果から折り条件を取得して前記折り処理の折り条件として設定する制御処理と、を行うことにより、上記目的を達成している。
【００２２】
請求項１４記載の発明の用紙後処理制御方法は、折り位置、折り方向及び折り順序等の折り条件に基づいて用紙に施す折り処理を制御する用紙後処理制御方法であって、前記折り条件が記載されている原稿の画像を読み取る原稿読取処理と、該原稿読取処理で読み取った該原稿のサイズを取得する原稿サイズ取得処理と、該原稿読取処理で読み取った原稿の画像から該折り条件を取得するとともに、該取得した折り条件に該原稿サイズ取得処理で取得した原稿サイズと前記折り処理を施す前記用紙のサイズとのサイズ差を補正して該折り処理の折り条件として設定する制御処理と、を行うことにより、上記目的を達成している。
【００２３】
請求項１２から請求項１４の場合、例えば、請求項１５に記載するように、前記用紙後処理制御方法は、所定の通信回線を介して前記折り条件シートの画像または前記折り条件が記載されている原稿の画像を印刷データまたは画像データとして受信する受信処理を有し、前記制御処理において、該受信処理で受信した該印刷データまたは該画像データから前記折り条件を取得してもよい。
【００２４】
また、例えば、請求項１６に記載するように、前記制御処理は、所定の操作手段での指示操作に応じて、前記折り条件の所定の記憶手段への保存、該記憶手段からの該折り条件の読み取り等の各種処理を行ってもよい。
【００２５】
請求項１７記載の発明の用紙後処理制御プログラムは、折り位置、折り方向及び折り順序等の折り条件に基づいて用紙に施す折り処理を制御する用紙後処理制御プログラムであって、前記折り条件がマークシート方式で記載されている折り条件シートを読み取る読取処理ステップと、該読取処理ステップで読み取った折り条件シートの画像から折り条件を取得して前記折り処理の折り条件として設定する制御処理ステップと、を有することにより、上記目的を達成している。
【００２６】
請求項１８記載の発明の用紙後処理制御プログラムは、折り位置、折り方向及び折り順序等の折り条件に基づいて用紙に施す折り処理を制御する用紙後処理制御プログラムであって、前記折り条件が文字情報として記載されている折り条件シートを読み取る読取処理ステップと、該読取処理ステップで読み取った折り条件シートの画像から文字情報を認識する文字認識処理ステップと、該文字認識処理ステップでの認識結果から折り条件を取得して前記折り処理の折り条件として設定する制御処理ステップと、を有することにより、上記目的を達成している。
【００２７】
請求項１９記載の発明の用紙後処理制御プログラムは、折り位置、折り方向及び折り順序等の折り条件に基づいて用紙に施す折り処理を制御する用紙後処理制御プログラムであって、前記折り条件が記載されている原稿の画像を読み取る原稿読取処理ステップと、該原稿読取処理ステップで読み取った該原稿のサイズを取得する原稿サイズ取得処理ステップと、該原稿読取処理ステップで読み取った原稿の画像から該折り条件を取得するとともに、該取得した折り条件に該原稿サイズ取得処理ステップで取得した原稿サイズと前記折り処理を施す前記用紙のサイズとのサイズ差を補正して該折り処理の折り条件として設定する制御処理ステップと、を有することにより、上記目的を達成している。
【００２８】
請求項１７から請求項１９の場合、例えば、請求項２０に記載するように、前記用紙後処理制御プログラムは、所定の通信回線を介して前記折り条件シートの画像または前記折り条件が記載されている原稿の画像を印刷データまたは画像データとして受信する受信処理ステップを有し、前記制御処理ステップにおいて、該受信処理ステップで受信した該印刷データまたは該画像データから前記折り条件を取得してもよい。
【００２９】
また、例えば、請求項２１に記載するように、前記制御処理ステップは、所定の操作手段での指示操作に応じて、前記折り条件の所定の記憶手段への保存、該記憶手段からの該折り条件の読み取り等の各種処理を行ってもよい。
【００３０】
請求項２２記載の発明の記録媒体は、折り位置、折り方向及び折り順序等の折り条件に基づいて用紙に施す折り処理を制御する用紙後処理制御プログラムを記録する記録媒体であって、前記用紙後処理制御プログラムとして、請求項１７から請求項２１のいずれかに記載の用紙後処理制御プログラムが記録されていることにより、上記目的を達成している。
【発明の効果】
【００３１】
本発明によれば、マークシート方式等で折り条件の記載されている折り条件シートを読み取って折り条件を取得して設定しているので、折り条件を簡単かつ適切に取得・設定することができ、折り処理の利用性を向上させることができる。
【発明を実施するための最良の形態】
【００３２】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００３３】
図１〜図７は、本発明の用紙後処理装置、画像形成装置、画像形成システム、用紙後処理制御方法、用紙後処理制御プログラム及び記録媒体の第１実施例を示す図であり、図１は、本発明の用紙後処理装置、画像形成装置、画像形成システム、用紙後処理制御方法、用紙後処理制御プログラム及び記録媒体の第１実施例を適用した画像形成システム１のブロック構成図である。
【００３４】
図１において、画像形成システム１は、画像形成装置１０に後処理装置５０が接続されており、後処理装置５０は、画像形成装置１０に離接可能に接続されている。画像形成システム１は、ＣＤ（Compact Disc）、ＣＤ−ＲＷ（Compact Disc Rewritable ）、ＤＶＤ（Digital Video Disk）、フレキシブルディスク等の記録媒体に記録されている用紙後処理制御プログラムを画像形成装置１０に導入することで、用紙後処理制御方法を実行する画像形成装置１０、画像形成システム１として構築されている。
【００３５】
画像形成装置１０は、画像形成装置制御部１１、給紙部１２、排紙搬送部１３、反転搬送部１４、後処理搬送部１５、操作表示部１６、ネットワークデータ受信部１７、シリアル通信部１８、画像形成部１９、折り条件設定部２０、原稿読取部２１及び印刷データ受信部２２等を備えており、折り条件設定部２０は、画像読込部２０ａ、折り条件保存部２０ｂ及び折り条件呼出部２０ｃを備えている。
【００３６】
給紙部１２は、複数枚の用紙を載置する少なくとも１つ以上の用紙トレイ、用紙トレイに収納されて用紙を１枚ずつ分離して送り出す送り出しローラ機構及び送り出された用紙を画像形成部１９に搬送する用紙搬送機構等を備えており、用紙を１枚ずつ画像形成部１９に搬送する。
【００３７】
画像形成部１９は、給紙部１２から搬送されてきた用紙に、画像データに基づいて所定の画像形成方式、例えば、電子写真方式で画像を形成する。
【００３８】
排紙搬送部１３は、画像形成部１９で画像形成された用紙に対して折り処理が選択指定されなかった用紙、すなわち、用紙に後処理装置５０で後処理を行わない画像形成済用紙を画像形成装置１０の図示しない排紙トレイ上に排出する。
【００３９】
反転搬送部１４は、両面画像形成モードで、画像形成部１９で片面に画像形成された用紙を反転させて画像形成部１９に再送する。
【００４０】
後処理搬送部１５は、画像形成部１９で画像形成された用紙に対して折り処理が選択指定された用紙、すなわち、用紙に後処理装置５０で後処理を行う画像形成済用紙を後処理装置５０に搬送する。
【００４１】
操作表示部（操作手段）１６は、画像形成装置１０に各種動作をさせるのに必要な各種操作キーや図２に示すような表示部３０を備えており、表示部３０は、液晶ディスプレイ上にタッチパネルが配設されていて、表示部３０に必要な各種情報やタッチボタンを表示して、タッチ方式で各種操作入力を行うことができる。
【００４２】
操作表示部１６は、後述するように、後処理装置５０で用紙に折り処理を行わせるための任意の折り条件（折り位置、折り方向及び折り順序等）の設定画面Ｇ１（図２参照）を表示部３０に表示し、表示部３０の表示に応じてタッチパネルにタッチ操作することで、任意に折り条件を入力操作することができ、また、設定した折り条件の保存処理、呼出処理及び設定処理に必要な各種設定画面を表示部３０に表示し、該設定画面でのタッチパネルのタッチ操作による折り条件設定処理、保存処理、呼出処理及びその他の処理で必要な各種情報と該情報に基づいた操作を可能とする。
【００４３】
ネットワークデータ受信部（受信手段）１７は、ＬＡＮ（Local Area Network）等の所定のネットワークに接続され、該ネットワークに接続されているコンピュータ等のホスト装置から各種データを受信し、特に、折り条件を記載した折り条件設定マークシートＭＳ１、ＭＳ２（図３及び図４参照）等の折り条件設定マークシートの画像や折り条件の記入された原稿の画像を受信する。ネットワークデータ受信部１７は、データの受信において、例えば、イーサネット（Ethernet：登録商標）上のファイル転送プロトコルによるデータ転送、セントロ、ＵＳＢ（Universal Serial Bus）、１３９４等による機器との接続におけるデータ転送を利用して行う。
【００４４】
上記折り条件設定部（制御手段）２０は、画像形成装置制御部１１の制御下で、画像読取部２０ａ、折り条件保存部２０ｂ及び折り条件呼出部２０ｃを動作させて、折り条件の取得、上記操作表示部１６の表示部３０への折り条件設定画面Ｇ１の表示、折り条件設定内容の設定に必要な各種処理を行って折り条件の設定、保存、読み出し等を行う。
【００４５】
画像読込部（読取手段）２０ａは、通常原稿を読み取る原稿読取部２１よりも簡略な構成であって、光源及び光電変換素子等を備え、例えば、図３に示すようなマークシート方式で折り条件の記載された折り条件設定マークシートＭＳ１や図４に示すような文字記入方式で折り条件の記載された折り条件設定マークシートＭＳ２を読み取って、記載されている折り条件を取得する。
【００４６】
なお、図３（ａ）の折り条件設定マークシートＭＳ１と図３（ｂ）の折り条件設定マークシートＭＳ１は、同じシートであるが、図３（ａ）の折り条件設定マークシートＭＳ１では、折り方向を指定する山折りにマークが付けられることで、山折りの折り条件が指定され、図３（ｂ）の折り条件設定マークシートＭＳ１では、折り方向を指定する谷折りにマークが付けられることで、谷折りの折り条件が指定されている。図３の折り条件設定マークシートＭＳ１は、折り条件としての折り回数、折り位置（分母と分子）及び折り方向を指定する予め記載されているマーク欄を塗り潰すことで、折り条件を設定することができる。
【００４７】
また、折り条件を記載した折り条件設定マークシートとしては、例えば、図４に示すように、文字で折り条件を記入する折り条件設定マークシートＭＳ２であってもよい。図４の折り条件設定マークシートＭＳ２は、折り条件としての折り回数、折り位置（分母と分子）及び折り方向を指定する予め記載されている記入欄に文字で記載することで、折り条件を設定することができる。折り条件設定部２０は、文字記入方式の折り条件設定マークシートＭＳ２を読み込んだ結果の画像から該折り条件を指定する文字を認識するために、ＯＣＲ（Optical Character Reader：光学式文字読取装置）機構を内蔵しており、文字認識手段として機能する。
【００４８】
折り条件保存部２０ｂは、折り条件設定部２０の制御下で、設定された折り条件を内部記憶部または外部メモリ装着部（図示略）に装着されている外部メモリ（図示略）等の折り条件保存用不揮発性メモリ（記憶手段）に書き込んで保存する。
【００４９】
折り条件呼出部２０ｃは、折り条件設定部２０の制御下で、折り条件保存用不揮発性メモリから折り条件を読み出し（呼び出し）、折り条件設定部２０は、折り条件呼出部２０ｃの読み出した折り条件を操作表示部１６の表示部３０に表示して、タッチパネルでのタッチ操作によって選択または設定された折り条件を、現在の折り条件として設定する。
【００５０】
印刷データ受信部（受信手段）２２は、画像形成装置１０の接続されているネットワークに接続されているコンピュータ等のホスト装置から印刷データを受信し、また、折り条件を記載した上記折り条件設定マークシートＭＳ１、ＭＳ２等の折り条件設定マークシートの画像や折り条件の記入された原稿の画像を印刷データとして受信する。
【００５１】
また、上記操作表示部１６は、図示しないが、画像形成装置制御部１１の制御下で、折り条件設定部２０での折り条件の設定対象となる用紙のイメージ画像を、その折り条件の折り位置、折り方向及び折り順序等が分かる状態で、表示する。
【００５２】
上記後処理装置５０は、後処理装置制御部５１、給紙部５２、ステイプル部５３、折り部５４、シリアル通信部５５、第１搬送部５６、第２搬送部５７及び第３搬送部５８等を備えている。
【００５３】
画像形成装置１０のシリアル通信部１８と後処理装置５０のシリアル通信部５５は、それぞれ画像形成装置制御部１１と後処理装置制御部５１の制御下で、各種情報、特に、折り処理に必要な折り条件等の折り情報をシリアル通信する。
【００５４】
第１搬送部５６、第２搬送部５７及び第３搬送部５８は、折り部５４を構成する複数の折り機構を結ぶ用紙搬送路と、この用紙搬送路に設置された複数の搬送ローラ等を備え、後処理装置制御部５１の制御下で、画像形成装置１０で画像形成されて画像形成装置１０から送られてきた画像形成済の用紙を、画像形成装置１０の折り条件設定部２０で設定されシリアル通信部１８を介して受信した折り条件で該用紙に折り部５４で折り処理を行わせるように該用紙の搬送を行う。
【００５５】
ステイプル部５３は、後処理装置制御部５１の制御下で、画像形成装置１０で画像形成されて画像形成装置１０から送られてきた画像形成済の所定枚数の用紙に綴じ針を打ち込んで、綴じ合わせて用紙束とするステイプル処理を行う。
【００５６】
折り部５４は、上記用紙搬送部５６により接続されている複数の谷折り機構と山折り機構を有し、後処理装置制御部５１の制御下で、画像形成装置１０の折り条件設定部２０により設定されシリアル通信部１８とシリアル通信部５５を介して送られてきた折り回数、折り位置、折り方向及び折り順序等の折り条件に従って、画像形成装置１０から排出されて用紙搬送部５６により搬送される用紙に折り処理を施す。
【００５７】
給紙部５２は、表紙用等の特殊用紙を収納する特殊用紙収納トレイを有し、この特殊用紙収納トレイに収納された複数の特殊用紙の上部から、１枚の特殊用紙を設定に応じて繰り出し、この特殊用紙を搬送部５６〜５８に給紙する。
【００５８】
次に、本実施例の作用を説明する。本実施例の画像形成システム１は、画像形成装置１０の画像形成部１９で画像形成した用紙に対して、折り条件設定部２０で設定した折り条件に応じて後処理装置５０で折り処理を行わせるが、この折り条件を、マークシート方式や文字記入方式で記載された折り条件設定マークシートＭＳ１、ＭＳ２を読み取ることで取得して設定する。
【００５９】
すなわち、画像形成システム１は、電源投入後に、画像読込部２０ａに折り条件設定マークシートＭＳ１や折り条件設定マークシートＭＳ２がセットされて、画像形成装置１０の表示部３０に表示される初期画面で折り条件設定が選択され、折り条件設定部２０の画像読込部２０ａによる折り条件設定マークシートＭＳ１、ＭＳ２の読み込みを指示するマークシート読込指示が行われると、折り条件設定部２０は、画像読込部２０ａに、折り条件設定マークシートＭＳ１、ＭＳ２の読み取りを行わせ、画像読込部２０ａの読み込に結果に基づいて、折り条件設定マークシートＭＳ１、ＭＳ２にマークシート方式や文字記入方式で記載されている折り条件を取得する。
【００６０】
このとき、折り条件設定部２０は、読み込んだ折り条件設定マークシートが、予め決められた折り条件を指定するマーク位置を塗り潰すマークシート方式の折り条件設定マークシートＭＳ１であると、該マーク位置から折り回数、折り位置、折り方向等の折り条件を取得する。また、折り条件設定部２０は、読み込んだ折り条件設定マークシートが、予め記載されている折り条件記入欄に文字で折り条件を記載する文字記入方式の折り条件設定マークシートＭＳ２であると、折り条件設定マークシートＭＳ２の読込画像を内蔵するＯＣＲ機能で読み取ることで、折り回数、折り位置、折り方向等の折り条件を取得する。
【００６１】
折り条件設定部２０は、折り条件設定マークシートＭＳ１、ＭＳ２を読み込んで折り条件を取得すると、例えば、図２に示したような折り条件設定画面Ｇ１を操作表示部１６の表示部３０に表示して、取得した折り条件の確認、修正及び保存を可能とする。
【００６２】
図２の折り条件設定画面Ｇ１では、折り処理前の用紙イメージＭ１、折り位置設定マークＭ２、Ｍ３、折り位置メッセージＭ４、谷折り選択釦Ｍ５、山折り選択釦Ｍ６、次折り選択釦Ｍ７、折り条件を保存するための保存釦Ｍ８、折り条件を呼び出すための呼び出し釦Ｍ９、折り条件設定用の「ＯＫ」釦Ｍ１０、折り条件入力取消用の「キャンセル」釦Ｍ１１、折り位置変更釦Ｍ１２及び操作メッセージＭ１３を表示する。
【００６３】
操作メッセージＭ１３は、折り条件設定画面Ｇ１の上端部に容易に視認可能に表示され、例えば、「左右矢印で折り位置を選択し、ＯＫ釦を押してください。」等の折り条件設定画面Ｇ１での入力操作方法を素早く理解できる内容のメッセージを表示する。
【００６４】
折り処理前の用紙イメージＭ１は、折り条件設定画面Ｇ１の略中央部に、画像形成部１９により画像形成された画像形成済の用紙イメージを表示するとともに、この用紙イメージに対する折り条件の位置関係を表示し、この用紙イメージＭ１に対して、予め規定されたマーク等を付与して折り位置、折り方向及び折り順序を含む折り条件を表示して、出力用紙に対する折り方法を正確に設定できるようにする。この用紙イメージＭ１には、用紙に形成される出力画像も表示される。
【００６５】
谷折り選択釦Ｍ５は、折り方向として谷折りを選択する釦であり、谷折り釦Ｍ５がタッチ操作されて選択されると、折り条件設定部２０は、用紙を谷折りすることを示す折り位置設定マークとして谷折りマーク「▽」Ｍ３を、折り条件設定画面Ｇ１の用紙イメージＭ１に付加する。
【００６６】
山折り選択釦Ｍ６は、折り方向として山折りを選択する釦であり、山折り釦Ｍ６がタッチ操作されて選択されると、折り条件設定部２０は、用紙を山折りすることを示す折り位置設定マークとして山折りマーク「△」Ｍ２を、折り条件設定画面Ｇ１の用紙イメージＭ１に付加する。
【００６７】
なお、折り条件設定画面Ｇ１で、山折りマーク「△」Ｍ２の内部の数字「１」は、１回目の折り方向が山折りであることを表し、谷折りマーク「▽」Ｍ３内部の数字「２」は、２回目の折り方向が谷折りであることを示している。
【００６８】
折り位置変更（左右矢印）釦Ｍ１２は、折り位置設定マーク（山折りマーク、谷折りマーク）Ｍ２、Ｍ３の移動操作を行う釦であり、左右の折り位置変更釦１２がタッチ操作されると、折り条件設定部２０は、折り位置設定マークＭ２、Ｍ３を用紙イメージＭ１に対して左右方向に相対移動させ、これらの折り位置設定マークＭ２、Ｍ３を用いて入力された折り位置を、例えば、「１／４」等の折り位置メッセージＭ４で表示する。すなわち、用紙搬送方向先端から用紙長さの正確に１／４の位置で山折りを実行した後、さらに、用紙長さの正確に１／４、すなわち、用紙中央で谷折りを実行するように、簡単に折り位置を設定することができ、これら山折り及び谷折りによるＺ折りを容易に設定することができる。
【００６９】
この折り位置メッセージＭ４は、用紙長さに対する折り量の比率として表示するだけでなく、例えば、「１００ｍｍ」のように用紙端からの距離表示とすることもでき、この場合、折り位置をミリメートル単位で制御することができる。また、折り位置メッセージＭ４は、出力画像が用紙イメージＭ１に含まれるので、出力画像に対して折り位置を正確に設定することもでき、出力画像において折り線を付けたくないような折り不可位置での折り処理を回避することも容易にできる。
【００７０】
次折り選択釦Ｍ７は、次の用紙に対する折り条件の設定を行うことを要求する釦であり、折り条件設定部２０は、この次折り選択釦Ｍ７がタッチ操作されると、次の用紙に対する折り条件を設定するための画面に表示を切り換える。この次折り選択釦Ｍ７で次の用紙に対する折り条件の設定要求を行って折り条件を次の用紙に対して順次折り条件を設定することで、画像形成ジョブとして実行される一連の画像形成動作及び折り動作により処理される複数の用紙に対して、それぞれ異なった折り条件を連続して設定することができる。
【００７１】
「ＯＫ」釦Ｍ１０は、設定操作した折り条件を実行する折り条件として設定する釦であり、折り条件設定部２０は、［ＯＫ」釦Ｍ１０がタッチ操作されると、用紙イメージＭ１に対して折り位置設定マークＭ２、Ｍ３を付加して設定入力された折り条件に基づいて折り位置、折り方向及び折り順序等の折り条件を設定する。
【００７２】
「キャンセル」釦Ｍ１１は、設定操作した折り条件を取り消す釦であり、折り条件設定部２０は、「キャンセル」釦Ｍ１１がタッチ操作されると、用紙イメージＭ１に対して折り位置設定マークＭ２、Ｍ３を付加して設定入力された折り条件を取り消す。
【００７３】
このようにして、折り条件が設定操作され、保存釦Ｍ８がタッチ操作されると、折り条件設定部２０は、折り条件保存用不揮発性メモリに折り条件を保存する。なお、このとき、折り条件保存用不揮発性メモリが、上述した内部記憶部または外部メモリ装着部（図示略）に装着されている外部メモリ（図示略）等のように、複数あるときは、保存先の選択を行わせる保存先選択画面を表示部３０に表示して、該保存先選択画面で選択された保存先に折り条件を保存するようにしてもよい。
【００７４】
折り条件設定部２０は、操作表示部３０の表示部３０に表示している図２の折り条件設定画面Ｇ１で保存釦Ｍ８がタッチ操作されると、図５に示すように、まず、折り回数をカウントするカウンタのカウント値（折り回数）ｎを「０」にリセットし（ステップＳ１０１）、当該リセットした折り回数ｎを「１」だけインクリメントして（ステップＳ１０２）、折り条件設定画面Ｇ１に表示されているｎ番目の折り位置を、折り条件保存部２０ｂに指定の保存先の折り条件保存用不揮発性メモリに保存させる（ステップＳ１０３）。次に、折り条件設定部２０は、折り条件設定画面Ｇ１に表示されているｎ番目の折り方向を、折り条件保存部２０ｂに指定の保存先の折り条件保存用不揮発性メモリに保存させ（ステップＳ１０４）、設定された折り条件情報が終了したか（無くなったか）チェックする（ステップＳ１０５）。
【００７５】
ステップＳ１０５で、折り条件情報が終了していないときには、折り条件設定部２０は、ステップＳ１０２に戻って、折り回数ｎを「１」だけインクリメントして、折り条件保存部２０ｂを介して次の折り回数目の折り条件を、上記同様に処理して、例えば、図６に示すように、保存し（ステップＳ１０２〜Ｓ１０５）、ステップＳ１０５で、残りの折り条件情報が無くなると、折り条件保存処理を終了する。
【００７６】
なお、図６では、折り回数が２回まであり、１回目の折り処理では、折り位置が、用紙の１／４の位置で、折り方向が山折り、２回目の折り処理では、折り位置が、１回目の山折り位置から用紙の１／４の位置で、折り方向が谷折りであることを示す折り条件情報が記憶されていることを示している。
【００７７】
また、折り条件設定部２０は、必要に応じて呼出元指定画面（図示略）を表示部３０に表示して、適宜の呼び出し先が指定されて、操作表示部３０の表示部３０に表示している図２の折り条件設定画面Ｇ１で呼び出し釦Ｍ９がタッチ操作されると、図７に示すように折り条件の呼び出し処理を行う。すなわち、折り条件設定部２０は、呼び出し釦Ｍ９がタッチ操作されると、図７に示すように、まず、折り回数をカウントするカウンタのカウント値（折り回数）ｎを「０」（ｎ＝０）にリセットし（ステップＳ２０１）、当該リセットした折り回数ｎを「１」だけインクリメント（ｎ＝１）して（ステップＳ２０２）、折り条件呼出部２０ｃに、折り条件保存用不揮発性メモリの折り条件情報からｎ番目（いま、最初の処理であるので、１番目）の折り位置を読み出させる（ステップＳ２０３）。次に、折り条件設定部２０は、折り条件保存用不揮発性メモリの折り条件情報からｎ番目（いま、最初の処理であるので、１番目）の折り方向を、折り条件呼出部２０ｃに読み出させ（ステップＳ２０４）、出力用紙サイズが折り条件取得時の用紙指定サイズと異なるかチェックする（ステップＳ２０５）。
【００７８】
折り条件設定部２０は、ステップＳ２０５で、出力用紙サイズが折り条件取得時の用紙サイズと異なるときには、出力用紙サイズと折り条件取得時の用紙指定サイズとの縦横の比率に合わせて変倍して折り位置を換算し直して、折り位置設定内容を変更（補正）する（ステップＳ２０６）。
【００７９】
折り条件設定部２０は、折り条件呼出部２０ｃの読み出した折り位置情報、または、換算し直した折り位置と折り方向情報に基づいて、図２の折り条件設定画面Ｇ１の用紙イメージＭ１に、該折り位置に山折りマークＭ２または谷折りマークＭ３を表示する。
【００８０】
折り条件設定部２０は、１回目の折り条件の読み出しと必要な折り位置の換算及び折り条件設定画面Ｇ１への表示を行うと、折り条件保存用不揮発性メモリに記憶されている折り条件情報を全て読み出したか、すなわち、折り条件情報が終了したかチェックし（ステップＳ２０７）、折り条件情報の全てを読み出していないときには、ステップＳ２０２に戻って、折り回数ｎを「１」だけインクリメントして、折り条件呼出部２０ｃを介して、例えば、図６に示した折り条件保存用不揮発性メモリの次の折り回数目の折り条件を、上記同様に読み出して、必要な折り位置の換算し直しを行って、図２の折り条件設定画面Ｇ１の用紙イメージＭ１に、当該読み出した折り位置に山折りマークＭ２または谷折りマークＭ３を表示し（ステップＳ２０２〜Ｓ２０７）、ステップＳ２０７で、折り条件保存用不揮発性メモリの残りの折り条件情報が無くなると、折り条件呼出処理を終了する。
【００８１】
そして、例えば、図６に示したような折り条件が折り条件保存用不揮発性メモリに保存されている場合、１回目の読出処理で、１番目の折り位置として、「１／４」が書き込まれているので、用紙の１／４が設定され、また、折り方向として、「山折り」が書き込まれているので、山折りが設定され、２回目の読出処理で、２番目の折り位置として、１番目の山折り位置から用紙の１／４の位置が、折り方向として、谷折りが設定され、折り条件設定部２０は、この読み出した折り条件情報に基づいて、例えば、図２に示した折り条件設定画面Ｇ１のように、用紙イメージＭ１に合わせて、山折りマークＭ２、谷折りマークＭ３をそれぞれの折り位置に表示する。
【００８２】
この読み出した折り位置が、図２に示すように、「１／４」等の用紙の相対的な位置で、図６に示したように、折り条件保存用不揮発性メモリに保存されているときには、ステップＳ２０５及びステップＳ２０６の折り位置の換算し直しの処理を必要としないが、折り位置をｍｍ等の絶対位置を管理するデータで保存しているときには、折り条件登録時の用紙指定サイズと出力用紙サイズが異なると、保存時の折り位置データをそのまま出力用紙に適用すると、折り位置がずれることになる。
【００８３】
そこで、本実施例の画像形成装置１０は、図示しない原稿サイズセンサ（原稿サイズ取得手段）の取得した原稿用紙サイズに基づいて、ステップＳ２０６の折り位置換算し直しを行っている。
【００８４】
したがって、折り位置を数値設計しているような場合には、折り位置を相対位置ではなく、絶対位置で指示する方が都合が良い場合があり、このような場合、上記図５の折り条件保存処理においては、折り位置が、相対データではなく絶対データであると、図示しない原稿サイズセンサの取得した原稿用紙サイズを保存する。
【００８５】
折り条件設定部２０は、この呼び出した折り条件の折り条件設定画面Ｇ１への表示に基づいて、折り条件の必要な修正等が行われて、「ＯＫ」釦Ｍ１０がタッチ操作されると、該折り条件を設定し、また、この設定された折り条件で後処理装置５０に折り処理を行わせる。さらに、折り条件設定部２０は、保存釦Ｍ８がタッチ操作されると、この呼び出して設定された折り条件を折り条件保存用不揮発性メモリに保存する。
【００８６】
また、図２の折り条件設定画面Ｇ１には示していないが、折り条件設定部２０は、この折り条件設定画面Ｇ１にコピー釦を設け、コピー釦がタッチ操作されると、適宜選択されたコピー方法で折り条件情報のコピー（複写）を行うようにしてもよい。
【００８７】
なお、上記説明においては、折り条件を指定する折り条件設定マークシートの画像を折り条件設定部２０の画像読込部２０ａで読み込んで処理する場合について説明したが、上述のように、画像形成装置１０は、印刷データ受信部２２を備えており、印刷データ受信部２２を介してホスト装置から折り条件設定マークシートや折り条件を記載した原稿の印刷データを受信して、折り条件設定部２０が、該受信した折り条件設定マークシートや折り条件を記載した原稿の印刷データから折り条件を取得してもよい。また、画像形成装置１０は、上述のように、ネットワークデータ受信部１７を備えており、ネットワークデータ受信部１７を介してホスト装置から折り条件設定マークシートや折り条件を記載した原稿の画像データを受信して、折り条件設定部２０が、該受信した折り条件設定マークシートや折り条件を記載した原稿の画像データから折り条件を取得してもよい。さらに、画像形成装置１０は、通常の原稿を読み取る原稿読取部２１を備えており、この原稿読取部２１で、折り条件設定マークシートＭＳ１、ＭＳ２や折り条件を記載した原稿を読み取って、折り条件設定部２０がこの原稿読取部２１の読み取った折り条件設定マークシートＭＳ１、ＭＳ２や折り条件を記載した原稿の読取画像データから折り条件を取得してもよい。
【００８８】
そして、これらの場合においても、上述のように、折り条件の折り位置がｍｍ等の絶対位置を管理するデータであると、折り条件保存時に、図示しない原稿サイズセンサの取得した原稿用紙サイズを保存する。
【００８９】
なお、上記説明においては、折り条件設定マークとして予め定められた折り位置設定マークＭ２、Ｍ３を用紙イメージＭ１に付加することで折り条件を修正したり、入力しているが、折り条件の入力方法としては、折り位置設定マークＭ２、Ｍ３の付加によるものに限るものではなく、例えば、表示部３０のタッチパネルへのタッチペンによるフリーハンド入力機能を付与して、用紙イメージＭ１に対して折り条件を直接記入するようにしてもよい。
【００９０】
このように、本実施例の画像形成システム１は、画像形成装置１０から排出（出力）された用紙に対して、折り条件設定マークシートＭＳ１、ＭＳ２等を読み込んで取得した折り条件に従って、後処理装置５０で、折り処理を実行している。
【００９１】
したがって、折り条件の数が多い折り方法であっても、折り条件を簡単かつ適切に指定して、取得・設定することができ、折り処理の利用性を向上させることができる。
【００９２】
また、マークシート方式や文字記入方式等で折り条件の記載されている折り条件設定マークシートＭＳ１、ＭＳ２を使用して折り条件を指定しているので、原稿により視覚的な折り位置を指示する場合に比較して、予め数値的な折り位置が設計指示されている場合にも、容易かつ簡単に折り位置を指定することができ、利用性をより一層向上させることができる。
【００９３】
また、本実施例の画像形成装置１０は、原稿読取部２１の読み取った折り条件の記載されている原稿の画像から該折り条件を取得するとともに、該取得した折り条件に該原稿サイズと折り処理を施す用紙のサイズとのサイズ差を補正して該折り処理の折り条件として設定している。
【００９４】
したがって、折り処理を施す用紙と同じサイズの原稿に折り条件を記載して読み込ませる必要がなく、比較的大きなサイズで折り出力されることの多い折り機能の利用環境において、折り条件を記載する原稿のサイズを小さくすることができ、取り回しを良好なものとして、利用性をより一層向上させることができる。
【００９５】
さらに、本実施例の画像形成装置１０は、ネットワーク等を介してホスト装置等から折り条件の記載されている折り条件設定マークシートＭＳ１、ＭＳ２の画像または折り条件が記載されている原稿の画像を印刷データまたは画像データとして受信して、該受信した該印刷データまたは該画像データから折り条件を取得している。
【００９６】
したがって、ホスト装置等の外部装置の読取機構を利用して折り条件を取得することができ、利用性をより一層向上させることができる。
【００９７】
また、本実施例の画像形成装置１０は、操作表示部１６での指示操作に応じて、折り条件の内部記憶部または外部メモリ装着部（図示略）に装着されている外部メモリ（図示略）等の折り条件保存用不揮発性メモリへの保存、該折り条件保存用不揮発性メモリからの該折り条件の読み取り等の各種処理を行っている。
【００９８】
したがって、折り条件を有効利用することができ、利用性をより一層向上させることができる。
【００９９】
なお、本実施例の説明においては、折り条件設定マークシートを読み取る画像読込部２０ａを備えた折り条件設定部２０や原稿読取部２１、ネットワークデータ受信部１７及び印刷データ受信部２２を画像形成装置１０が備えている場合について説明したが、これらの各部は、画像形成装置１０が備えているものに限るものではなく、用紙後処理装置５０が、これらの各部を備えているとともに、用紙後処理制御プログラムが導入されていて、この用紙後処理制御プログラムに基づいて、折り条件設定マークシートや原稿を読み込んだ画像からの折り条件の取得、さらには、折り条件設定マークシートや原稿の印刷データや画像データからの折り条件の取得及び折り条件の設定、折り条件保存用不揮発性メモリへの保存等の処理を行ってもよい。
【実施例２】
【０１００】
図８及び図９は、本発明の用紙後処理装置、画像形成装置、画像形成システム、用紙後処理制御方法、用紙後処理制御プログラム及び記録媒体の第２実施例を示す図であり、図８は、本発明の用紙後処理装置、画像形成装置、画像形成システム、用紙後処理制御方法、用紙後処理制御プログラム及び記録媒体の第２実施例を適用した画像形成装置７０のブロック構成図である。
【０１０１】
図８において、画像形成装置７０は、制御部７１、給紙部７２、画像形成部７３、折り条件設定部７４、ネットワークデータ受信部７５、用紙搬送部７６、ステイプル部７７、折り部７８、操作表示部７９、原稿読取部８０及び印刷データ受信部８１等を備えており、上記第１実施例の画像形成システム１の画像処理装置１０と後処理装置５０が一体化された構成となっている。画像形成装置７０は、ＣＤ（Compact Disc）、ＣＤ−ＲＷ（Compact Disc Rewritable ）、ＤＶＤ（Digital Video Disk）、フレキシブルディスク等の記録媒体に記録されている用紙後処理制御プログラムを画像形成装置７０に導入することで、用紙後処理制御方法を実行する画像形成装置として構築されている。
【０１０２】
給紙部７２は、複数枚の用紙を載置する少なくとも１つの用紙トレイ、用紙トレイに収納されて用紙を１枚ずつ分離して送り出す送り出しローラ機構及び送り出された用紙を画像形成部７３に搬送する用紙搬送機構等を備えており、用紙を１枚ずつ画像形成部７３に搬送する。
【０１０３】
画像形成部７３は、給紙部７２から搬送されてきた用紙に、画像データに基づいて所定の画像形成方式、例えば、電子写真方式で画像を形成する。
【０１０４】
操作表示部（操作手段）７９は、画像形成装置７０に各種動作をさせるのに必要な各種操作キーや図９に示すような表示部８２を備えており、表示部８２は、液晶ディスプレイ上にタッチパネルが配設されていて、表示部８２に必要な各種情報やタッチボタンを表示して、タッチ方式で各種操作入力を行うことができる。
【０１０５】
操作表示部７９は、第１実施例の場合と同様に、用紙の後処理として実施する折り処理を行わせるための任意の折り条件（折り位置、折り方向及び折り順序等）の設定画面を表示部８２に表示し、当該表示部８２の表示に応じてタッチパネルにタッチ操作することで、任意に折り条件を入力操作することができ、また、設定した折り条件の保存処理、呼出処理及び設定処理に必要な各種設定画面を表示部８２に表示し、当該設定画面でのタッチパネルのタッチ操作による折り条件設定処理、保存処理、呼出処理及びその他の処理で必要な各種情報と当該情報に基づいた操作を可能とする。
【０１０６】
折り条件設定部（制御手段、文字認識手段）７４は、画像読込部７４ａ、折り条件保存部７４ｂ及び折り条件呼出部７４ｃを備えており、制御部７１の制御下で、折り条件設定マークシートＭＳ１、ＭＳ２の読み込み、上記操作表示部７９の表示部８２のへの折り条件設定画面の表示、折り条件設定内容の取り込み等の折り条件の設定に必要な各種処理を行って折り条件の設定等を行う。
【０１０７】
画像読込部７４ａは、第１実施例の画像読込部２０ａと同様であり、通常原稿を読み取る原稿読取部８０よりも簡略な構成であって、光源及び光電変換素子等を備え、例えば、図３に示すようなマークシート方式で折り条件の記載された折り条件設定マークシートＭＳ１や図４に示すような文字記入方式で折り条件の記載された折り条件設定マークシートＭＳ２を読み取って、記載されている折り条件を取得する。また、折り条件設定部７４は、画像読込部７４ａの読み取った画像が文字記入方式の折り条件設定マークシートＭＳ２の画像であると、該読取画像の文字を内蔵するＯＣＲ機能によって文字認識して、折り条件を取得する文字認識手段としても機能する。  
【０１０８】
折り条件保存部７４ｂは、第１実施例の折り条件保存部２０ｂと同様であり、折り条件設定部７４の制御下で、設定された折り条件を内部記憶部または外部メモリ装着部（図示略）に装着されている外部メモリ（図示略）等の折り条件保存用不揮発性メモリに書き込んで保存する。
【０１０９】
折り条件呼出部７４ｃは、第１実施例の折り条件呼出部２０ｃと同様であり、折り条件設定部７４の制御下で、折り条件保存用不揮発性メモリから折り条件を読み出し、折り条件設定部７４は、折り条件呼出部７４ｃの読み出した折り条件を操作表示部７９の表示部８２に表示して、タッチパネルでのタッチ操作で選択または設定された折り条件を、現在の折り条件として設定する。
【０１１０】
また、上記操作表示部７９は、図示しないが、制御部７１の制御下で、折り条件設定部７４での折り条件の設定対象となる用紙のイメージ画像を、その折り条件の折り位置、折り方向及び折り順序等が分かる状態で、表示する。
【０１１１】
さらに、上記操作表示部７９は、図９に示すように、制御部７１の制御下で、折り条件設定部７４で設定された折り条件に基づいて、折り処理を施した際の用紙の仕上がりイメージ画像を、その折り条件の折り位置、折り方向及び折り順序等が分かる状態で、用紙出力イメージ画像Ｍ２１として表示する。
【０１１２】
なお、図９は、操作表示部７９の表示部８２に表示する用紙出力イメージ表示画面Ｇ２を示しており、用紙出力イメージ表示画面Ｇ２には、出力イメージ画像Ｍ２１、折り条件を保存するための保存釦Ｍ２２、折り条件を呼び出すための呼び出し釦Ｍ２３、折り処理をキャンセルするための「キャンセル」釦Ｍ２４、折り処理を伴う出力を実行させるための「スタート」釦Ｍ２５及び操作メッセージＭ２６を表示している。
【０１１３】
操作メッセージＭ２２は、用紙出力イメージ表示画面Ｇ２の上端部に容易に視認可能に表示され、例えば、「出力イメージを表示しています。出力する場合はスタート釦を押してください。」等の用紙出力イメージ表示画面Ｇ２での入力操作方法を素早く理解できる内容のメッセージを表示する。
【０１１４】
出力イメージ画像Ｍ２１は、折り条件設定部７４で設定された折り条件による折り処理を施した用紙の出力イメージを画像表示するものである。
【０１１５】
この用紙出力イメージ表示画面Ｇ２において、「キャンセル」釦Ｍ２４が選択されると、この折り条件での折り処理を実行せず、折り条件の再設定を促す画面に表示を切り換える。一方、「スタート」釦Ｍ２５が選択操作されると、この用紙出力イメージ表示画面Ｇ２に表示された折り出力となる折り条件での処理実行を行う。
【０１１６】
用紙搬送部７６は、折り部７８を構成する複数の折り機構を結ぶ用紙搬送路と、この用紙搬送路に設置された複数の搬送ローラ等を備え、制御部７１の制御下で、画像形成部７３で画像形成された画像形成済の用紙を、折り条件設定部７４で設定された折り条件で当該用紙に折り部７８で折り処理を行わせるように当該用紙の搬送を行う。
【０１１７】
ステイプル部７７は、制御部７１の制御下で、画像形成部７３で画像形成された画像形成済の所定枚数の用紙に綴じ針を打ち込んで綴じ合わせて用紙束とするステイプル処理を行う。
【０１１８】
折り部７８は、上記用紙搬送部７６により接続されている複数の谷折り機構と山折り機構を有し、制御部７１の制御下で、折り条件設定部７４により設定された折り位置、折り方向及び折り順序等の折り条件に従って、用紙搬送部７６により搬送される用紙に折り処理を施す。
【０１１９】
上記用紙搬送部７６、ステイプル部７７及び折り部７８は、全体として、画像形成済の用紙にステイプル処理や折り処理を実行する後処理機構として機能している。
【０１２０】
制御部７１は、ＲＡＭ（Random Access Memory）７１ａ、ＣＰＵ（Central Processing Unit ）７１ｂ及びＲＯＭ（Read Only Memory）７１ｃ等を備えており、ＲＯＭ７１ｃ内には、後処理機構を備えた画像形成装置としての基本処理プログラム、後述する後処理制御処理プログラム及びこれらの各処理プログラムを実行するのに必要な各種データが格納されている。制御部７１は、ＣＰＵ７１ｂが、ＲＯＭ７１ｃ内のプログラムに基づいてＲＡＭ７１ａをワークメモリとして利用しつつ、画像形成装置７０の各部を制御して、画像形成装置７０としての基本処理を実行するとともに、折り条件の取得処理、設定処理、保存処理、呼び出し処理、コピー処理等の後処理制御処理を実行する。
【０１２１】
また、画像形成装置７０は、折り条件設定部７４により設定された折り条件が折り部７８では実行不可能な動作を含む場合、制御部７１が、画像形成部７３による画像形成動作を禁止するように制御する。したがって、画像形成装置７０は、第１実施例の画像形成システム１と比較して、無駄な画像形成動作をより確実に回避することができる。
【０１２２】
ネットワークデータ受信部（受信手段）７５は、第１実施例のネットワークデータ受信部１７と同様であり、画像形成装置７０の接続されているネットワークに接続されているコンピュータ等のホスト装置から各種データを受信し、特に、折り条件を記載した折り条件設定マークシートＭＳ１、ＭＳ２（図３及び図４参照）の画像データや折り条件の記入されている原稿の画像データを受信する。
【０１２３】
印刷データ受信部（受信手段）８１は、第１実施例の印刷データ受信部２２と同様であり、画像形成装置７０の接続されているネットワークに接続されているコンピュータ等のホスト装置から印刷データを受信し、また、折り条件を記載した上記折り条件設定マークシートＭＳ１、ＭＳ２の画像や折り条件の記入されている原稿の画像を印刷データとして受信する。
【０１２４】
次に、本実施例の作用を説明する。本実施例の画像形成装置７０は、上記第１実施例の画像形成システム１の画像形成装置１０と同様に、折り条件設定部７４によって、画像読込部７４ａで折り条件設定マークシートＭＳ１、ＭＳ２を読み取って取得したり、ネットワークデータ受信部７５で受信したホスト装置からの折り条件設定マークシートＭＳ１、ＭＳ２の画像データや折り条件の記入されている原稿の画像データから取得したり、また、印刷データ受信部８１で受信したホスト装置からの折り条件設定マークシートＭＳ１、ＭＳ２の画像や折り条件の記入されている原稿の画像の印刷データから取得した折り条件に基づいて、画像形成済の用紙に折り処理を施す。
【０１２５】
また、折り条件設定部７４は、取得した折り条件を、操作表示部７９の表示部８２に表示して、操作表示部７９の表示部８２のタッチパネルへのタッチ操作等から折り条件を修正、設定、折り条件保存用不揮発性メモリへの保存を行い、また、該折り条件保存用不揮発性メモリから折り条件を読み出して必要な修正を行っており条件が設定されると、図９に示したような用紙出力イメージ表示画面Ｇ２を操作表示部７９の表示部８２に表示する。
【０１２６】
制御部７１は、この用紙出力イメージ表示画面Ｇ２に、折り条件設定部７４で設定された折り条件に基づいて、折り処理を施した際の仕上がりイメージ画像を、その折り条件の折り位置、折り方向及び折り順序等が分かる状態で出力イメージ画像Ｍ２１として表示する。
【０１２７】
したがって、折り処理による出力結果を出力イメージ画像Ｍ２１により容易に確認することができ、所望の折り条件を可能とする折り位置、折り方向及び折り順序を正確に確認・設定することを容易に行うことができる。その結果、折り位置、折り方向及び折り順序の誤設定を低減することができる。
【０１２８】
この用紙出力イメージ表示画面Ｇ２で、保存釦Ｍ２２がタッチ操作されると、折り条件設定部７４は、図５に示した場合と同様に処理して、上記取得・設定された折り条件情報を折り条件保存用不揮発性メモリに保存する折り条件保存処理を行う。
【０１２９】
この保存処理において、折り位置が、相対データではなく絶対データであると、折り条件保存時の折り位置を適用する用紙サイズ情報を指定用紙サイズとして保存する。
【０１３０】
また、折り条件設定部７４は、操作表示部７９の表示部８２に表示している図９の用紙出力イメージ表示画面Ｇ２で呼び出し釦Ｍ２３がタッチ操作されると、折り条件保存用不揮発性メモリから折り条件情報を読み出して、表示部８２に表示する。
【０１３１】
すなわち、折り条件設定部７４は、図９の用紙出力イメージ表示画面Ｇ２で、呼び出し釦Ｍ２３がタッチ操作されると、上記図６に示した場合と同様に処理して、折り条件保存用不揮発性メモリから折り条件を読み出すとともに、出力用紙サイズが折り条件取得時の用紙サイズと異なるときには、出力用紙サイズと折り条件取得時の用紙指定サイズとの縦横の比率に合わせて変倍して折り位置を換算し直して、折り位置設定内容を変更する。
【０１３２】
折り条件設定部７４は、例えば、図９の用紙出力イメージ表示画面Ｇ２の用紙出力イメージ画像Ｍ２１に、該読み出し必要な換算し直しを行った折り条件に基づいて折り処理を施した際の用紙の仕上がりイメージ画像を、その折り条件の折り位置、折り方向及び折り順序等が分かる状態で操作表示部７９の表示部８２に表示する。
【０１３３】
そして、折り条件設定部７４は、用紙出力イメージ表示画面Ｇ２への用紙出力イメージ画像Ｍ２１の表示に基づいて、折り条件の必要な修正等が行われて、スタート釦Ｍ２５がタッチ操作されると、該折り条件を設定し、また、画像形成装置７０は、この設定された折り条件で用紙搬送部７６及び折り部７８で折り処理を行わせる。さらに、折り条件設定部７４は、保存釦Ｍ２２がタッチ操作されると、この呼び出して設定された折り条件を折り条件保存用不揮発性メモリに保存する。
【０１３４】
また、図９の用紙出力イメージ表示画面Ｇ２には示していないが、折り条件設定部７４は、この用紙出力イメージ表示画面Ｇ２にコピー釦を設け、コピー釦がタッチ操作されると、指定されたコピー方法で折り条件情報のコピーを行う。
【０１３５】
このように、本実施例の画像形成装置７０は、画像データに基づいて用紙に画像を形成するとともに、折り条件設定マークシートＭＳ１、ＭＳ２を画像読込部７４ａや原稿読取部８０で読み取った画像データから印刷条件を取得し、また、ネットワークデータ受信部７５で受信した画像データや印刷データ受信部８１で受信した印刷データから印刷条件を取得し、該取得した折り位置、折り方向及び折り順序等の折り条件に基づいて用紙に折り処理を施す用紙後処理機構として用紙搬送部７６、ステイプル部７７及び折り部７８を備えており、画像形成部７３で画像形成された用紙に、この用紙後処理機構で折り条件に基づいて折り処理を実施している。
【０１３６】
したがって、折り条件の数が多い折り方法であっても、折り条件を簡単かつ適切に指定して、取得・設定することができ、折り処理の利用性を向上させることができる。
【０１３７】
また、マークシート方式や文字記入方式等で折り条件の記載されている折り条件設定マークシートＭＳ１、ＭＳ２を使用して折り条件を指定しているので、原稿により視覚的な折り位置を指示する場合に比較して、予め数値的な折り位置が設計指示されている場合にも、容易かつ簡単に折り位置を指定することができ、利用性をより一層向上させることができる。
【０１３８】
また、本実施例の画像形成装置７０は、原稿読取部８０の読み取った折り条件の記載されている原稿の画像から該折り条件を取得するとともに、該取得した折り条件に該原稿サイズと折り処理を施す用紙のサイズとのサイズ差を補正して該折り処理の折り条件として設定している。
【０１３９】
したがって、折り処理を施す用紙と同じサイズの原稿に折り条件を記載して読み込ませる必要がなく、比較的大きなサイズで折り出力されることの多い折り機能の利用環境において、折り条件を記載する原稿のサイズを小さくすることができ、取り回しを良好なものとして、利用性をより一層向上させることができる。
【０１４０】
さらに、本実施例の画像形成装置７０は、ネットワーク等を介してホスト装置等から折り条件の記載されている折り条件設定マークシートＭＳ１、ＭＳ２の画像または折り条件が記載されている原稿の画像を印刷データまたは画像データとして受信して、該受信した該印刷データまたは該画像データから折り条件を取得している。
【０１４１】
したがって、ホスト装置等の外部装置の読取機構を利用して折り条件を取得することができ、利用性をより一層向上させることができる。
【０１４２】
また、本実施例の画像形成装置７０は、操作表示部７９での指示操作に応じて、折り条件の内部記憶部または外部メモリ装着部（図示略）に装着されている外部メモリ（図示略）等の折り条件保存用不揮発性メモリへの保存、該折り条件保存用不揮発性メモリからの該折り条件の読み取り等の各種処理を行っている。
【０１４３】
したがって、折り条件を有効利用することができ、より一層利用性を向上させることができる。
【０１４４】
さらに、本実施形態の画像形成装置７０は、操作表示部７９の表示部８２に用紙出力イメージ表示画面Ｇ２を表示して、この用紙出力イメージ表示画面Ｇ２に、折り条件設定部７４で設定された折り条件による用紙の出力イメージを出力イメージ画像Ｍ２１として画像表示している。
【０１４５】
したがって、折り処理を行ったときの出力イメージを確認しながら、折り条件を設定することができ、複雑な折り条件をも短時間で簡単にかつ正確に入力設定することができるとともに、入力設定した折り条件を外部メモリ９３や内部記憶部８５に保存して、有効利用することができ、より一層利用性を向上させることができる。
【０１４６】
さらに、画像形成装置７０において、折り条件設定部７４により設定された折り条件が折り部７８では折り処理を実行することのできない動作を含む場合に、制御部７１が、画像形成部７３による画像形成動作を禁止するように制御すると、無駄な画像形成動作を、より確実に回避することができる。
【０１４７】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【０１４８】
画像形成済の用紙に指定の折り処理を行う用紙後処理装置、画像形成装置、画像形成システム、用紙後処理制御方法、用紙後処理制御プログラム及び記録媒体に適用することができる。
【図面の簡単な説明】
【０１４９】
【図１】本発明の用紙後処理装置、画像形成装置、画像形成システム、用紙後処理制御方法、用紙後処理制御プログラム及び記録媒体の第１実施例を適用した画像形成システムのブロック構成図。
【図２】図１の操作表示部の折り条件設定画面を表示する表示部の一例を示す図。
【図３】図１の画像形成システムの折り条件設定に使用する塗り潰しマークシート方式の折り条件設定マークシートの一例を示す図。
【図４】図１の画像形成システムの折り条件設定に使用する文字記入マークシート方式の折り条件設定マークシートの一例を示す図。
【図５】図１の画像形成装置による折り条件保存処理を示すフローチャート。
【図６】図５の折り条件保存処理で折り条件保存用不揮発性メモリに保存される折り条件の一例を示す図。
【図７】図１の画像形成装置による折り条件呼出処理を示すフローチャート。
【図８】本発明の用紙後処理装置、画像形成装置、画像形成システム、用紙後処理制御方法、用紙後処理制御プログラム及び記録媒体の第２実施例を適用した画像形成装置のブロック構成図。
【図９】図１０の操作表示部の用紙出力イメージ表示画面を表示する表示部の一例を示す図。
【符号の説明】
【０１５０】
１  画像形成システム
１０  画像形成装置
１１  画像形成装置制御部
１２  給紙部
１３  排紙搬送部
１４  反転搬送部
１５  後処理搬送部
１６  操作表示部
１７  ネットワークデータ受信部
１８  シリアル通信部
１９  画像形成部
２０  折り条件設定部
２０ａ  画像読込部
２０ｂ  折り条件保存部
２０ｃ  折り条件呼出部
２１  原稿読取部
２２  印刷データ受信部
３０  表示部
５０  後処理装置
５１  後処理装置制御部
５２  給紙部
５３  ステイプル部
５４  折り部
５５  シリアル通信部
５６  第１搬送部
５７  第２搬送部
５８  第３搬送部
ＭＳ１、ＭＳ２  折り条件設定マークシート
Ｇ１  折り条件設定画面
Ｍ１  用紙イメージ
Ｍ２、Ｍ３  折り位置設定マーク
Ｍ４  折り位置メッセージ
Ｍ５  谷折り選択釦
Ｍ６  山折り選択釦
Ｍ７  次折り選択釦
Ｍ８  保存釦
Ｍ９  呼び出し釦
Ｍ１０  「ＯＫ」釦
Ｍ１１  「キャンセル」釦
Ｍ１２  折り位置変更釦
Ｍ１３  操作メッセージ
Ｇ２  用紙出力イメージ表示画面
Ｍ２１  出力イメージ画像
Ｍ２２  保存釦
Ｍ２３  呼び出し釦
Ｍ２４  「キャンセル」釦
Ｍ２５  「スタート」釦
Ｍ２６  操作メッセージ
７０  画像形成装置
７１  制御部
７１ａ  ＲＡＭ
７１ｂ  ＣＰＵ
７１ｃ  ＲＯＭ
７２  給紙部
７３  画像形成部
７４  折り条件設定部
７４ａ  画像読込部
７４ｂ  折り条件保存部
７４ｃ  折り条件呼出部
７５  ネットワークデータ受信部
７６  用紙搬送部
７７  ステイプル部
７８  折り部
７９  操作表示部
８０  原稿読取部
８１  印刷データ受信部
８２  表示部
【図１】
2008127107.tif 000003
【図２】
2008127107.tif 000004
【図３】
2008127107.tif 000005
【図４】
2008127107.tif 000006
【図５】
2008127107.tif 000007
【図６】
2008127107.tif 000008
【図７】
2008127107.tif 000009
【図８】
2008127107.tif 000010
【図９】
2008127107.tif 000011